(57)【要約】【課題】ユーザがネットワーク端末のＩＰアドレスを意図通りに割付可能なＩＰアドレス割付システムを提供する。【解決手段】ＩＰアドレスを用いてネットワークを介してパケットを送受信する端末ｂ０１，ｂ０２，ｂ０３の間の接続関係を示す配置情報と各端末のＩＰアドレスの登録情報とを少なくとも管理する監視装置ａ０１に対して、ユーザが前記配置情報と前記登録情報とを所望する内容に任意にあらかじめ設定登録し、監視装置ａ０１が、ＩＰアドレス未設定の端末ｂ０２に隣接するＩＰ設定済みの端末ｂ０１に対して、前記登録情報に登録されたＩＰアドレスを端末ｂ０２に設定指示するＩＰ設定用パケットを送信することにより、端末ｂ０１が隣接の端末ｂ０２に対してＭＡＣアドレスを用いたＩＰ設定用ＭＡＣフレームを送信する。ネットワーク構築当初は、監視装置ａ０１とそれに直接接続される端末ｂ０１に対してユーザが人手でＩＰアドレスを設定する。【選択図】図１
2007235826.tif 000002
【特許請求の範囲】
【請求項１】
ネットワークを介してＩＰアドレスを用いてパケットを送受信する端末と、少なくとも、各端末間の接続関係を示す配置情報と各端末のＩＰアドレスの登録情報とを管理するとともに、前記ネットワーク上にＩＰアドレスが未割付の端末が存在している場合に、該ＩＰアドレスを割り付ける監視装置とを備えたＩＰアドレス割付システムにおいて、前記監視装置が、ユーザが各端末それぞれに対応して任意にあらかじめ設定登録したＩＰアドレスを、該当する端末に割り付けることを特徴とするＩＰアドレス割付システム。
【請求項２】
前記監視装置が、前記ネットワーク上にＩＰアドレスが未だ割り付けられていない未割付端末が存在している場合、前記未割付端末に割り付けるべきＩＰアドレスを前記登録情報に基づいて取り出すとともに、前記未割付端末に隣接する前記端末のうち、ＩＰアドレス割付済みの割付済み端末を前記配置情報から取得して、該割付済み端末に対して、隣接の前記未割付端末のＩＰアドレスの割付を指示するＩＰ設定用パケットを作成して送信することを特徴とする請求項１に記載のＩＰアドレス割付システム。
【請求項３】
前記ネットワークを構築当初においては、前記監視装置と、該監視装置が管理対象とする各端末のうち、該監視装置と直接接続される最近傍端末とは、それぞれ、ユーザにより人手でＩＰアドレスを設定することにより、前記ＩＰ設定用パケットを送信する前記割付済み端末を、前記最近傍端末とすることを特徴とする請求項２に記載のＩＰアドレス割付システム。
【請求項４】
前記監視装置から前記ＩＰ設定用パケットを受信した前記割付済み端末は、ＳＴＰプロトコル（Ｓｐａｎｎｉｎｎｇ−Ｔｒｅｅ  Ｐｒｏｔｏｃｏｌ）によりあらかじめ取得している隣接端末のＭＡＣアドレスを用いて、該ＩＰ設定用パケットに指定されているポートの接続先に前記隣接端末が存在しているか否かを確認して、存在の有無を示すＩＰ設定受付パケットを作成して、前記ＩＰ設定用パケットの送信元の前記監視装置に対して返送することを特徴とする請求項２または３に記載のＩＰアドレス割付システム。
【請求項５】
前記監視装置は、前記割付済み端末から前記ＩＰ設定受付パケットを受信するまで、あらかじめ定めた周期で、該割付済み端末に対して前記ＩＰ設定用パケットを繰返し送信することを特徴とする請求項４に記載のＩＰアドレス割付システム。
【請求項６】
前記割付済み端末は、受信した前記ＩＰ設定用パケットに指定されているポートの接続先に前記隣接端末が存在している場合、該隣接端末に対して、該ＩＰ設定用パケットに含まれているＩＰアドレスの設定を指示するＩＰ設定用ＭＡＣフレームを送信することを特徴とする請求項４または５に記載のＩＰアドレス割付システム。
【請求項７】
前記割付済み端末から前記ＩＰ設定用ＭＡＣフレームを受信したＩＰアドレス未割付の前記隣接端末は、該ＩＰ設定用ＭＡＣフレームに指定されているＩＰアドレスを設定するとともに、設定が完了したことを示すＩＰ設定済みＭＡＣフレームを、該ＩＰ設定用ＭＡＣフレームの送信元の前記割付済み端末に返送し、かつ、新たに設定したＩＰアドレスを用いて設定完了を示すＩＰ設定済みパケットを作成して、割付を指示した前記監視装置に対して送信することを特徴とする請求項６に記載のＩＰアドレス割付システム。
【請求項８】
前記割付済み端末は、前記隣接端末から前記ＩＰ設定済みＭＡＣフレームを受信するまで、あらかじめ定めた周期で、該隣接端末に対して前記ＩＰ設定用ＭＡＣフレームを繰返し送信することを特徴とする請求項７に記載のＩＰアドレス割付システム。
【請求項９】
前記ＩＰ設定済みパケットを受信した前記監視装置は、該ＩＰ設定済みパケットの送信元の前記隣接端末に対して、該ＩＰ設定済みパケットを受信したことを示すＩＰ設定済み受付パケットを返送するとともに、該ＩＰ設定済みパケットの送信元の前記隣接端末のＩＰアドレスを割付済みとする表示を前記登録情報に設定することを特徴とする請求項７または８に記載のＩＰアドレス割付システム。
【請求項１０】
前記ＩＰ設定済みパケットの送信元の前記隣接端末は、前記監視装置から前記ＩＰ設定済み受付パケットを受信するまで、あらかじめ定めた周期で、該監視装置に対して前記ＩＰ設定済みパケットを繰返し送信することを特徴とする請求項９に記載のＩＰアドレス割付システム。
【請求項１１】
ネットワークを介してＩＰアドレスを用いてパケットを送受信する端末と、少なくとも、各端末間の接続関係を示す配置情報と各端末のＩＰアドレスの登録情報とを管理する監視装置とを備え、前記監視装置が、前記ネットワーク上にＩＰアドレスが未割付の端末が存在していることを検知した場合に、前記登録情報のＩＰアドレスを割り付けるＩＰアドレス割付方法において、ユーザが前記監視装置に対して各端末それぞれに対応して任意にあらかじめ設定登録したＩＰアドレスを、該当する端末に割り付けることを特徴とするＩＰアドレス割付方法。
【請求項１２】
前記監視装置が、前記ネットワーク上にＩＰアドレスが未だ割り付けられていない未割付端末が存在している場合、前記未割付端末に割り付けるべきＩＰアドレスを前記登録情報に基づいて取り出すとともに、前記未割付端末に隣接する前記端末のうち、ＩＰアドレス割付済みの割付済み端末を前記配置情報から取得して、該割付済み端末に対して、隣接の前記未割付端末のＩＰアドレスの割付を指示するＩＰ設定用パケットを作成して送信することを特徴とする請求項１１に記載のＩＰアドレス割付方法。
【請求項１３】
前記ネットワークを構築当初においては、前記監視装置と、該監視装置が管理対象とする各端末のうち、該監視装置と直接接続される最近傍端末とは、それぞれ、ユーザにより人手でＩＰアドレスを設定することにより、前記ＩＰ設定用パケットを送信する前記割付済み端末を、前記最近傍端末とすることを特徴とする請求項１２に記載のＩＰアドレス割付方法。
【請求項１４】
前記監視装置から前記ＩＰ設定用パケットを受信した前記割付済み端末は、ＳＴＰプロトコル（Ｓｐａｎｎｉｎｎｇ−Ｔｒｅｅ  Ｐｒｏｔｏｃｏｌ）によりあらかじめ取得している隣接端末のＭＡＣアドレスを用いて、該ＩＰ設定用パケットに指定されているポートの接続先に前記隣接端末が存在しているか否かを確認して、存在の有無を示すＩＰ設定受付パケットを作成して、前記ＩＰ設定用パケットの送信元の前記監視装置に対して返送することを特徴とする請求項１２または１３に記載のＩＰアドレス割付方法。
【請求項１５】
前記監視装置は、前記割付済み端末から前記ＩＰ設定受付パケットを受信するまで、あらかじめ定めた周期で、該割付済み端末に対して前記ＩＰ設定用パケットを繰返し送信することを特徴とする請求項１４に記載のＩＰアドレス割付方法。
【請求項１６】
前記割付済み端末は、受信した前記ＩＰ設定用パケットに指定されているポートの接続先に前記隣接端末が存在している場合、該隣接端末に対して、該ＩＰ設定用パケットに含まれているＩＰアドレスの設定を指示するＩＰ設定用ＭＡＣフレームを送信することを特徴とする請求項１４または１５に記載のＩＰアドレス割付方法。
【請求項１７】
前記割付済み端末から前記ＩＰ設定用ＭＡＣフレームを受信したＩＰアドレス未割付の前記隣接端末は、該ＩＰ設定用ＭＡＣフレームに指定されているＩＰアドレスを設定するとともに、設定が完了したことを示すＩＰ設定済みＭＡＣフレームを、該ＩＰ設定用ＭＡＣフレームの送信元の前記割付済み端末に返送し、かつ、新たに設定したＩＰアドレスを用いて設定完了を示すＩＰ設定済みパケットを作成して、割付を指示した前記監視装置に対して送信することを特徴とする請求項１６に記載のＩＰアドレス割付方法。
【請求項１８】
前記割付済み端末は、前記隣接端末から前記ＩＰ設定済みＭＡＣフレームを受信するまで、あらかじめ定めた周期で、該隣接端末に対して前記ＩＰ設定用ＭＡＣフレームを繰返し送信することを特徴とする請求項１７に記載のＩＰアドレス割付方法。
【請求項１９】
前記ＩＰ設定済みパケットを受信した前記監視装置は、該ＩＰ設定済みパケットの送信元の前記隣接端末に対して、該ＩＰ設定済みパケットを受信したことを示すＩＰ設定済み受付パケットを返送するとともに、該ＩＰ設定済みパケットの送信元の前記隣接端末のＩＰアドレスを割付済みとする表示を前記登録情報に設定することを特徴とする請求項１７または１８に記載のＩＰアドレス割付システム。  
【請求項２０】
前記ＩＰ設定済みパケットの送信元の前記隣接端末は、前記監視装置から前記ＩＰ設定済み受付パケットを受信するまで、あらかじめ定めた周期で、該監視装置に対して前記ＩＰ設定済みパケットを繰返し送信することを特徴とする請求項１９に記載のＩＰアドレス割付システム。
【発明の詳細な説明】
【技術分野】
【０００１】
本発明は、ＩＰアドレス割付システムおよびＩＰアドレス割付方法に関する。
【背景技術】
【０００２】
一般に、監視装置によってネットワーク端末を監視する場合、ＴＣＰ／ＩＰによるネットワークを用いた監視方法では、各ネットワーク端末のＩＰアドレスの設定が必須となっている。現在の各ネットワーク端末に対してＩＰアドレスを割り付ける方法としては、各ネットワーク端末に対してユーザが一々設定を行うことにすると、管理対象のネットワーク端末数が増加するのに伴い、ユーザによるＩＰアドレスの割り付けに要する手間が大幅に増大してしまう。
【０００３】
一方、特許文献１に示す特開２００５−１９７７９３号公報「ネットワークアドレス割当装置、ネットワークアドレス割当方法およびネットワークアドレス割当プログラム」に記載されているように、ＤＨＣＰ（Dynamic Host Configuration
Protocol）により無作為なＩＰアドレスを割り当てることにすると、ユーザが意図しないＩＰアドレスが各ネットワーク端末に対して割り付けられてしまう結果を招く。
【０００４】
また、特許文献２に示す特開２００１−２８５３０５号公報「ＩＰアドレス設定装置およびＩＰアドレス設定方法」に記載されているように、ＤＨＣＰによりＭＡＣアドレスを指定してＩＰアドレスを割り付けることにすると、各ネットワーク端末のＭＡＣアドレスをユーザがあらかじめ把握していることが必要である。
【特許文献１】特開２００５−１９７７９３号公報（第７−８頁）
【特許文献２】特開２００１−２８５３０５号公報（第４−５頁）
【発明の開示】
【発明が解決しようとする課題】
【０００５】
前述のように、従来のＩＰアドレスの設定方法では、ＩＰアドレスを割り当てるためにユーザの負担が伴ったり、意図しないアドレスが割り当てられたりするという弊害があった。
【０００６】
そこで、本発明の目的は、ユーザは、各端末のＭＡＣアドレスを把握することなく、各端末のネットワーク上の配置を決定するだけで、各端末それぞれに意図したＩＰアドレスを割り付けることを可能にするＩＰアドレス割付システムおよびＩＰアドレス割付方法を提供することにある。
【課題を解決するための手段】
【０００７】
前述の課題を解決するため、本発明によるＩＰアドレス割付システムおよびＩＰアドレス割付方法は、次のような特徴的な構成を採用している。
【０００８】
（１）ネットワークを介してＩＰアドレスを用いてパケットを送受信する端末と、少なくとも、各端末間の接続関係を示す配置情報と各端末のＩＰアドレスの登録情報とを管理するとともに、前記ネットワーク上にＩＰアドレスが未割付の端末が存在している場合に、該ＩＰアドレスを割り付ける監視装置とを備えたＩＰアドレス割付システムにおいて、前記監視装置が、ユーザが各端末それぞれに対応して任意にあらかじめ設定登録したＩＰアドレスを、該当する端末に割り付けるＩＰアドレス割付システム。
（２）前記監視装置が、前記ネットワーク上にＩＰアドレスが未だ割り付けられていない未割付端末が存在している場合、前記未割付端末に割り付けるべきＩＰアドレスを前記登録情報に基づいて取り出すとともに、前記未割付端末に隣接する前記端末のうち、ＩＰアドレス割付済みの割付済み端末を前記配置情報から取得して、該割付済み端末に対して、隣接の前記未割付端末のＩＰアドレスの割付を指示するＩＰ設定用パケットを作成して送信する上記（１）のＩＰアドレス割付システム。
（３）前記ネットワークを構築当初においては、前記監視装置と、該監視装置が管理対象とする各端末のうち、該監視装置と直接接続される最近傍端末とは、それぞれ、ユーザにより人手でＩＰアドレスを設定することにより、前記ＩＰ設定用パケットを送信する前記割付済み端末を、前記最近傍端末とする上記（２）のＩＰアドレス割付システム。
（４）前記監視装置から前記ＩＰ設定用パケットを受信した前記割付済み端末は、ＳＴＰプロトコル（Ｓｐａｎｎｉｎｎｇ−Ｔｒｅｅ  Ｐｒｏｔｏｃｏｌ）によりあらかじめ取得している隣接端末のＭＡＣアドレスを用いて、該ＩＰ設定用パケットに指定されているポートの接続先に前記隣接端末が存在しているか否かを確認して、存在の有無を示すＩＰ設定受付パケットを作成して、前記ＩＰ設定用パケットの送信元の前記監視装置に対して返送する上記（２）または（３）のＩＰアドレス割付システム。
（５）前記監視装置は、前記割付済み端末から前記ＩＰ設定受付パケットを受信するまで、あらかじめ定めた周期で、該割付済み端末に対して前記ＩＰ設定用パケットを繰返し送信する上記（４）のＩＰアドレス割付システム。
（６）前記割付済み端末は、受信した前記ＩＰ設定用パケットに指定されているポートの接続先に前記隣接端末が存在している場合、該隣接端末に対して、該ＩＰ設定用パケットに含まれているＩＰアドレスの設定を指示するＩＰ設定用ＭＡＣフレームを送信する上記（４）または（５）のＩＰアドレス割付システム。
（７）前記割付済み端末から前記ＩＰ設定用ＭＡＣフレームを受信したＩＰアドレス未割付の前記隣接端末は、該ＩＰ設定用ＭＡＣフレームに指定されているＩＰアドレスを設定するとともに、設定が完了したことを示すＩＰ設定済みＭＡＣフレームを、該ＩＰ設定用ＭＡＣフレームの送信元の前記割付済み端末に返送し、かつ、新たに設定したＩＰアドレスを用いて設定完了を示すＩＰ設定済みパケットを作成して、割付を指示した前記監視装置に対して送信する上記（６）のＩＰアドレス割付システム。
（８）前記割付済み端末は、前記隣接端末から前記ＩＰ設定済みＭＡＣフレームを受信するまで、あらかじめ定めた周期で、該隣接端末に対して前記ＩＰ設定用ＭＡＣフレームを繰返し送信する上記（７）のＩＰアドレス割付システム。
（９）前記ＩＰ設定済みパケットを受信した前記監視装置は、該ＩＰ設定済みパケットの送信元の前記隣接端末に対して、該ＩＰ設定済みパケットを受信したことを示すＩＰ設定済み受付パケットを返送するとともに、該ＩＰ設定済みパケットの送信元の前記隣接端末のＩＰアドレスを割付済みとする表示を前記登録情報に設定する上記（７）または（８）のＩＰアドレス割付システム。
（１０）前記ＩＰ設定済みパケットの送信元の前記隣接端末は、前記監視装置から前記ＩＰ設定済み受付パケットを受信するまで、あらかじめ定めた周期で、該監視装置に対して前記ＩＰ設定済みパケットを繰返し送信する上記（９）のＩＰアドレス割付システム。
（１１）ネットワークを介してＩＰアドレスを用いてパケットを送受信する端末と、少なくとも、各端末間の接続関係を示す配置情報と各端末のＩＰアドレスの登録情報とを管理する監視装置とを備え、前記監視装置が、前記ネットワーク上にＩＰアドレスが未割付の端末が存在していることを検知した場合に、前記登録情報のＩＰアドレスを割り付けるＩＰアドレス割付方法において、ユーザが前記監視装置に対して各端末それぞれに対応して任意にあらかじめ設定登録したＩＰアドレスを、該当する端末に割り付けるＩＰアドレス割付方法。
（１２）前記監視装置が、前記ネットワーク上にＩＰアドレスが未だ割り付けられていない未割付端末が存在している場合、前記未割付端末に割り付けるべきＩＰアドレスを前記登録情報に基づいて取り出すとともに、前記未割付端末に隣接する前記端末のうち、ＩＰアドレス割付済みの割付済み端末を前記配置情報から取得して、該割付済み端末に対して、隣接の前記未割付端末のＩＰアドレスの割付を指示するＩＰ設定用パケットを作成して送信する上記（１１）のＩＰアドレス割付方法。
（１３）前記ネットワークを構築当初においては、前記監視装置と、該監視装置が管理対象とする各端末のうち、該監視装置と直接接続される最近傍端末とは、それぞれ、ユーザにより人手でＩＰアドレスを設定することにより、前記ＩＰ設定用パケットを送信する前記割付済み端末を、前記最近傍端末とする上記（１２）のＩＰアドレス割付方法。
（１４）前記監視装置から前記ＩＰ設定用パケットを受信した前記割付済み端末は、ＳＴＰプロトコル（Ｓｐａｎｎｉｎｎｇ−Ｔｒｅｅ  Ｐｒｏｔｏｃｏｌ）によりあらかじめ取得している隣接端末のＭＡＣアドレスを用いて、該ＩＰ設定用パケットに指定されているポートの接続先に前記隣接端末が存在しているか否かを確認して、存在の有無を示すＩＰ設定受付パケットを作成して、前記ＩＰ設定用パケットの送信元の前記監視装置に対して返送する上記（１２）または（１３）のＩＰアドレス割付方法。
（１５）前記監視装置は、前記割付済み端末から前記ＩＰ設定受付パケットを受信するまで、あらかじめ定めた周期で、該割付済み端末に対して前記ＩＰ設定用パケットを繰返し送信する上記（１４）のＩＰアドレス割付方法。
（１６）前記割付済み端末は、受信した前記ＩＰ設定用パケットに指定されているポートの接続先に前記隣接端末が存在している場合、該隣接端末に対して、該ＩＰ設定用パケットに含まれているＩＰアドレスの設定を指示するＩＰ設定用ＭＡＣフレームを送信する上記（１４）または（１５）のＩＰアドレス割付方法。
（１７）前記割付済み端末から前記ＩＰ設定用ＭＡＣフレームを受信したＩＰアドレス未割付の前記隣接端末は、該ＩＰ設定用ＭＡＣフレームに指定されているＩＰアドレスを設定するとともに、設定が完了したことを示すＩＰ設定済みＭＡＣフレームを、該ＩＰ設定用ＭＡＣフレームの送信元の前記割付済み端末に返送し、かつ、新たに設定したＩＰアドレスを用いて設定完了を示すＩＰ設定済みパケットを作成して、割付を指示した前記監視装置に対して送信する上記（１６）のＩＰアドレス割付方法。
（１８）前記割付済み端末は、前記隣接端末から前記ＩＰ設定済みＭＡＣフレームを受信するまで、あらかじめ定めた周期で、該隣接端末に対して前記ＩＰ設定用ＭＡＣフレームを繰返し送信する上記（１７）のＩＰアドレス割付方法。
（１９）前記ＩＰ設定済みパケットを受信した前記監視装置は、該ＩＰ設定済みパケットの送信元の前記隣接端末に対して、該ＩＰ設定済みパケットを受信したことを示すＩＰ設定済み受付パケットを返送するとともに、該ＩＰ設定済みパケットの送信元の前記隣接端末のＩＰアドレスを割付済みとする表示を前記登録情報に設定する上記（１７）または（１８）のＩＰアドレス割付システム。  
（２０）前記ＩＰ設定済みパケットの送信元の前記隣接端末は、前記監視装置から前記ＩＰ設定済み受付パケットを受信するまで、あらかじめ定めた周期で、該監視装置に対して前記ＩＰ設定済みパケットを繰返し送信する上記（１９）のＩＰアドレス割付システム。
【発明の効果】
【０００９】
本発明のＩＰアドレス割付システムおよびＩＰアドレス割付方法によれば、以下に記載するような効果を奏することができる。
【００１０】
第１の効果は、ユーザは、監視装置上に、ネットワークに接続される端末の配置（接続ポート）を示す位置を配置情報として設定することにより、端末におけるＭＡＣアドレス等を気にすることなく、期待するＩＰアドレスの付与を行うことが可能である。
【００１１】
第２の効果は、ユーザは、監視装置と直接接続を行う最近傍の端末のＩＰアドレスのみの設定を人手で行うだけで、他の端末については、ＩＰアドレスの付与を、人手で行う必要はなく、自動的に行うことが可能である。
【００１２】
第３の効果は、監視装置側にて各端末に割り付けた全てのＩＰアドレスを一元管理することができ、ユーザの人的ミスによるＩＰアドレスの重複を防ぐことが可能である。
【発明を実施するための最良の形態】
【００１３】
以下、本発明によるＩＰアドレス割付システムおよびＩＰアドレス割付方法の好適実施形態例について添付図を参照して説明する。
【００１４】
まず、本発明の特徴を示す動作例についてその概略を説明する。本発明は、スイッチやルータ相当のネットワーク端末(以降、単に「端末」と略称する)のＩＰアドレスを、監視装置上においてユーザがあらかじめ任意に設定しておいた通りのアドレスに、当該監視装置から自動的に割り付けることを可能としている点を特徴としている。
【００１５】
ここで、当該監視装置は、監視対象とする端末のＩＰアドレスの登録情報、位置情報、接続形態情報などの配置情報を保持する機能を有している。一方、端末においては、人的に（人手によって）、ＩＰアドレス等のネットワークアドレスを設定することができる機能を有しており、ネットワーク構築当初においては、監視装置と直接接続される端末は、監視装置と通信を行うために、人的にＩＰアドレスをあらかじめ設定する必要がある。
【００１６】
また、端末においては、自端末に隣接する端末のＭＡＣアドレスを認識することができる機能を有している。ここで、隣接する端末の検索については、公知のＳＴＰ（Ｓｐａｎｎｉｎｇ−Ｔｒｅｅ  Ｐｒｏｔｏｃｏｌ）プロトコルを使用することによって可能であり、ここでは、説明を省略する。
【００１７】
さらに、端末においては、自端末に隣接する端末に対して、ＭＡＣフレームのみで通信を行うことができる機能を有しており、隣接する端末に対して、ＭＡＣアドレスを用いてＩＰアドレスの設定を指示する“ＩＰ設定用ＭＡＣフレーム”を送信することができる機能を有している。
【００１８】
また、端末においては、隣接する端末から“ＩＰ設定用ＭＡＣフレーム”を受信した場合に、自端末に対してＩＰアドレスを設定する機能を有しており、自端末のＩＰアドレスの設定が終了すると、“ＩＰ設定用ＭＡＣフレーム”を送信してきた隣接の端末に対して“ＩＰ設定済みＭＡＣフレーム”を送信する機能を有している。
【００１９】
端末においては、ＩＰアドレスの設定を終了した場合、ＩＰアドレスの割付指示をしてきた監視装置に対して“ＩＰ設定済みパケット”を送信する機能を有している。
【００２０】
監視装置は、“ＩＰ設定済みパケット”を受信することにより、端末にＩＰアドレスが割り付け済みであることを検知することができる機能を有しており、“ＩＰ設定済みパケット”の送信元の端末に対しても、ＩＰアドレスが未割り当ての端末にＩＰアドレスを割り付ける指示となる“ＩＰ設定用パケット”を送信する機能を有している。
【００２１】
端末において、“ＩＰ設定用パケット”を監視装置から受信した場合、ＩＰアドレスを設定すべき隣接の端末に対して“ＩＰ設定用ＭＡＣフレーム”を送信する機能を有している。
【００２２】
以上のようにして、本発明においては、ＤＨＣＰ機能のように一意に割り付けられたＩＰアドレスを端末側にて設定することもなく、また、ユーザがＩＰアドレスを各端末に一々設定する必要もなく、ユーザが監視装置にあらかじめ入力しておいた任意のＩＰアドレスを端末に設定することが可能となっている。
【００２３】
［実施例の構成］
次に、本発明によるＩＰアドレス割付システムの一構成例を説明する。図１は、本発明によるＩＰアドレス割付システムの構成の一例を示すシステム構成図である。図１に示す構成例においては、ＬＡＮなどのネットワークに、監視装置ａ０１、端末ｂ０１,ｂ０２,ｂ０３が接続されている。
【００２４】
ネットワーク構築当初においては、監視装置ａ０１、および、当該監視装置ａ０１と直接接続される最近傍の端末ｂ０１においては、監視装置ａ０１と端末ｂ０１間のネットワーク通信を、ＩＰパケットを使用して行うことができるように、人的に（人手によって）それぞれのＩＰアドレスをあらかじめ設定することが必要である。ここで、図１においては、端末ｂ０１,ｂ０２,ｂ０３それぞれのＭＡＣアドレスが“００−０Ｃ−７６−００−００−０１”、“００−０Ｃ−７６−００−００−０２”、“００−０Ｃ−７６−００−００−０３”であり、監視装置ａ０１、端末ｂ０１それぞれにユーザが割り当てたＩＰアドレスが、“１９２．１６８．０．０”、“１９２．１６８．０．１”であり、端末ｂ０２,ｂ０３には、まだ、ＩＰアドレスが割り当てられていない状態にある。
【００２５】
一方、図２で示すように、監視装置ａ０１においては、ＩＰアドレス割付システムＭＡＰとして、各端末間の接続関係を示す配置情報を設定する配置図と、各端末に割り当てるべきＩＰアドレス等のネットワークアドレス情報を登録情報として登録しているＩＰアドレス割り当て表とを有している。監視装置ａ０１においては、当該監視装置ａ０１における監視対象の各端末に関して、ユーザによって、端末ｂ０１,ｂ０２,ｂ０３の配置図の作成することが可能である。また、配置図の作成過程において、ユーザによって、端末ｂ０１,ｂ０２,ｂ０３に対して任意のＩＰアドレスの割り振りが行われる。図２は、本発明によるＩＰアドレス割付システムの監視装置ａ０１でユーザが作成する端末ｂ０１,ｂ０２,ｂ０３の配置図とそれぞれに割り当てるべきＩＰアドレスを説明するための模式図である。
【００２６】
図２の配置図においては、監視装置ａ０１と直接接続される最近傍の端末は、端末ｂ０１であり、そのｐｏｒｔ１に隣の端末ｂ０２が接続され、さらに、端末ｂ０２のｐｏｒｔ２に隣の端末ｂ０３が接続されている場合を示している。ここで、図２のＩＰアドレス割り当て表に示すように、ユーザが各端末ｂ０１,ｂ０２,ｂ０３に割り付けたいＩＰアドレスとして、監視装置ａ０１に設定したアドレスは、それぞれ、“１９２．１６８．０．１”、“１９２．１６８．０．２”、“１９２．１６８．０．３”であり、このうち、監視装置ａ０１と直接接続されている端末ｂ０１については、図１にて説明したように、ネットワーク構築当初において、監視装置ａ０１とＩＰパケットを使用した通信が可能なように人的に（人手で）ＩＰアドレスが設定され、すでに割り当て済みの状態にあるが、端末ｂ０２，ｂ０３については、まだＩＰアドレスが設定されていない状態にある。なお、各端末ｂ０１,ｂ０２,ｂ０３とも、Ｓｕｂｎｅｔ  Ｍａｓｋ（サブネットマスク）は、
“２５５．２５５．２５５．０”、Ｄｅｆａｕｌｔ  Ｇａｔｅｗａｙ（デフォルトゲートウェイ）は“１９２．１６８．０．２５４”であるものとしている。
【００２７】
また、各端末ｂ０１，ｂ０２，ｂ０３は、ＳＴＰプロトコルによる隣接探索処理機能を有しており、隣接する端末のＭＡＣアドレスを探索することができる。端末ｂ０１は、隣接端末として端末ｂ０２のＭＡＣアドレスの情報を取得することができる。また、端末ｂ０２は、隣接端末として端末ｂ０１および端末ｂ０３のＭＡＣアドレスの情報を取得することができる。端末ｂ０３は、隣接端末として端末ｂ０２のＭＡＣアドレスの情報を取得することができる。
【００２８】
ここで、まだＩＰアドレスが割り当てられていない端末ｂ０２，ｂ０３に対してＩＰアドレスを割り当てる動作について説明する。まず、監視装置ａ０１に直接接続されていてＩＰアドレスが割り当て済みの端末ｂ０１に対して、監視装置ａ０１は、配置図とＩＰアドレス割り当て表とを参照して、該端末ｂ０１に隣接する端末ｂ０２のＩＰアドレスの割り当てを指示する“ＩＰ設定用パケット”を送信する。監視装置ａ０１から端末ｂ０１に対して送信される“ＩＰ設定用パケット”のパケットフォーマットの一例を図３に示している。図３に例示するように、監視装置a０１は、端末ｂ０１のＰｏｒｔ１に接続されている隣接端末ｂ０２に対してＩＰアドレス“１９２．１６８．０．２”、Ｓｕｂｎｅｔ  Ｍａｓｋ“２５５．２５５．２５５．０”、Ｄｅｆａｕｌｔ  Ｇａｔｅｗａｙ“１９２．１６８．０．２５４”を設定することを指示する
“ＩＰ設定用パケット”を作成して、端末ｂ０１に対して、隣接する端末ｂ０２のＩＰ設定を指示するパケットとして、あらかじめ定めた一定間隔で送信している。
【００２９】
端末ｂ０１は、監視装置ａ０１から“ＩＰ設定用パケット”を受信すると、あらかじめ探索済みのＭＡＣアドレスを参照して、“ＩＰ設定用パケット”に指定されたポート「Ｐｏｒｔ１」に隣接端末が存在するか否かの判断を行い、存在する場合は、当該隣接端末ｂ０２のＭＡＣアドレスを取り出して、図４で例示するような“ＩＰ設定用ＭＡＣフレーム”を作成するとともに、図５（Ａ）で例示するような“ＩＰ設定受付パケット(成功時)”の作成を行う。
【００３０】
一方、隣接端末が存在しない場合は、図５（Ｂ）で例示するような“ＩＰ設定受付パケット(失敗時)”のパケット生成のみを行い、隣接端末ｂ０２に対する“ＩＰ設定用ＭＡＣフレーム”の生成は行わない。
【００３１】
図４は、端末ｂ０１が隣接端末ｂ０２に対してＩＰアドレスの設定を指示する“ＩＰ設定用ＭＡＣフレーム”の一例を示すフレームフォーマットであり、隣接端末ｂ０２のＭＡＣアドレス“００−０Ｃ−７６−００−００−０２”を用いて、監視装置ａ０１から受信した“ＩＰ設定用パケット”のＩＰアドレス、Ｓｕｂｎｅｔ  Ｍａｓｋ、Ｄｅｆａｕｌｔ  Ｇａｔｅｗａｙを隣接端末ｂ０２に対して転送するものである。また、図５は、“ＩＰ設定用パケット”を受信した端末ｂ０１が、監視装置ａ０１に対して、隣接端末ｂ０２のＩＰアドレスの設定指示処理が可能か否かを返信するための“ＩＰ設定受付パケット”の一例を示すパケットフォーマットであり、監視装置ａ０１から受信した“ＩＰ設定用パケット”の「Ｐｏｒｔ」部を、設定指示処理の可否を示す「Ｆｌａｇ」に置換した形式で返送する。図５（Ａ）が、設定指示処理が可能な旨（成功：ＳＵＣＣＥＳＳ）を示し、図５（Ｂ）が、設定指示処理が不可能な旨（失敗：ＦＡＩＬ）を示している。
【００３２】
端末ｂ０１は、前述したように、指定されたポート「Ｐｏｒｔ１」に隣接端末の端末ｂ０２が存在している場合には、図４に示す“ＩＰ設定用ＭＡＣフレーム”を隣接端末の端末ｂ０２に対して、一定間隔で送信する。さらに、端末ｂ０１は、“ＩＰ設定受付パケット（成功時）”を監視装置ａ０１に対して返送する。一方、端末ｂ０１は、指定されたポート「Ｐｏｒｔ１」に隣接端末が存在していない場合には、監視装置ａ０１に対して“ＩＰ設定受付パケット(失敗時)”の返送のみを行う。
【００３３】
監視装置ａ０１では、端末ｂ０１からの“ＩＰ設定受付パケット（成功時）”または“ＩＰ設定受付パケット(失敗時)”を受信すると、端末ｂ０１に対する“ＩＰ設定用パケット”の送信処理を停止する。受信した“ＩＰ設定受付パケット”のフラグが「ＦＡＩＬ」のとき、すなわち、“ＩＰ設定受付パケット(失敗時)”を受信したときは、ＩＰ割り当て表に、端末ｂ０２の“割り当て”のステータスを“未”から“失敗”に変更し、次に、割り当て可能な端末の検索を行う。
【００３４】
端末ｂ０１における設定指示処理が可能な場合で、端末ｂ０２が、隣接する端末の端末ｂ０１から“ＩＰ設定用ＭＡＣフレーム”を受信すると、受信した“ＩＰ設定用ＭＡＣフレーム”の内容に従って当該端末ｂ０２自身のＩＰアドレスを設定する。端末ｂ０２は、当該端末ｂ０２自身のＩＰアドレスの設定が完了すると、“ＩＰ設定用ＭＡＣフレーム”の送信元の端末ｂ０１のＭＡＣアドレスを取り出して、端末ｂ０１に対して、図６に例示するような“ＩＰ設定済みＭＡＣフレーム”を送信する。また、このとき、さらに、監視装置ａ０１に対して、図７に例示するような“ＩＰ設定済みパケット”の送信をあらかじめ定めた一定間隔で送信する。図６は、“ＩＰ設定用ＭＡＣフレーム”の送信元の端末ｂ０１に対してＩＰアドレスの設定が完了した旨を通知する“ＩＰ設定済みＭＡＣフレーム”の一例を示すフレームフォーマットであり、図７は、監視装置ａ０１に対して“ＩＰ設定用パケット”で指示されたＩＰアドレスの設定が完了した旨を通知する“ＩＰ設定済みパケット”の一例を示すパケットフォーマットである。
【００３５】
端末ｂ０１は、端末ｂ０２より“ＩＰ設定済みＭＡＣフレーム”を受信すると、一定間隔で送信していた“ＩＰ設定用ＭＡＣフレーム”の送信処理を停止する。一方、監視装置ａ０１は、端末ｂ０２より“ＩＰ設定済みパケット”を受信すると、端末ｂ０２に対して、図８で例示するような“ＩＰ設定済み受付パケット”を送信する。図８は、“ＩＰ設定済みパケット”
の送信元の端末ｂ０２に対して受信した旨を通知する“ＩＰ設定済み受付パケット”の一例を示すパケットフォーマットである。このときに、監視装置ａ０１では、ＩＰ割り当て表に、端末ｂ０２の“割り当て”のステータスを“未”から“済”に変更する。
【００３６】
端末ｂ０２は、監視装置ａ０１より“ＩＰ設定済み受付パケット”を受信すると、一定間隔で送信していた“ＩＰ設定済みパケット”の送信処理を停止する。
【００３７】
以上の動作によって、端末ｂ０２は、監視装置ａ０１であらかじめユーザが設定していた所望のＩＰアドレス「１９２．１６８．０．２」に割り付けられる。同様の動作を、端末ｂ０３にも行うことにより、端末ｂ０３にも監視装置ａ０１であらかじめユーザが設定していた所望のＩＰアドレス「１９２．１６８．０．３」の割り付けが行われる。
【００３８】
［実施例の動作の説明］
次に、図９のフローチャートを用いて、監視装置ａ０１の動作についてさらに説明する。図９は、本発明によるＩＰアドレス割付システムの監視装置ａ０１の動作の一例を示すフローチャートである。
【００３９】
まず、監視装置ａ０１においては、監視対象として、ネットワークに接続される各端末の配置情報や、ネットワークアドレスに関する登録情報として各端末のＩＰアドレス、Ｓｕｂｎｅｔ  Ｍａｓｋ、Ｄｅｆａｕｌｔ  Ｇａｔｅｗａｙなどをユーザからの入力に基づいて、図２のように作成する（ステップＳ０１）。
【００４０】
次に、監視装置ａ０１は、ＩＰアドレスが既に設定されている端末の中で、当該監視装置ａ０１に最も近く、かつ、隣接端末のＩＰアドレスが未設定の状態にある端末を検索する（ステップＳ０２）。
【００４１】
検索結果として、該当する端末が検出された場合は（ステップＳ０３のＹＥＳ）、監視装置ａ０１は、検出された端末に対して、自動的に、当該端末に隣接する隣接端末に関するＩＰアドレスの設定を指示する“ＩＰ設定用パケット”の送信を予め定めた一定時間間隔で繰返し行う（ステップＳ０４）。一方、該当する端末が検出されなかった場合は（ステップＳ０３のＮＯ）、管理対象としている全ての端末について、ＩＰアドレスが設定済みの状態になっているものとして、処理を完了する。
【００４２】
“ＩＰ設定用パケット”の送信先の端末より、受信したことを通知する“ＩＰ設定受付パケット”が送付されてくるまで(ステップＳ０５のＮＯ)、前述のように、一定時間間隔で、“ＩＰ設定用パケット”を繰返し送信するが、“ＩＰ設定受付パケット”が送付されてきた時点で（ステップＳ０５のＹＥＳ）、“ＩＰ設定用パケット”の送信を停止するとともに、通知されてきた“ＩＰ設定受付パケット”のフラグをチェックし、ＩＰアドレスの設定動作に成功したか否かを確認する（ステップＳ０６）。
【００４３】
“ＩＰ設定用パケット”の送信先の端末より通知されてきた“ＩＰ設定受付パケット”のフラグが失敗を示すＦＡＩＬであった場合は（ステップＳ０６のＮＯ）、ＩＰアドレス割り当て表の「割り当てフラグ」にＩＰアドレス割り当てに失敗したことを示す「失敗」を設定するとともに、送信先の該端末に隣接する隣接端末が存在しない状態にあるものとして、ステップＳ０２に戻って、次のＩＰアドレス未設定の端末の検索を継続する。
【００４４】
“ＩＰ設定用パケット”の送信先の端末より通知されてきた“ＩＰ設定受付パケット”のフラグが成功を示すＳＵＣＣＥＳＳであった場合は（ステップＳ０６のＹＥＳ）、送信済みの“ＩＰ設定用パケット”にてＩＰアドレスの割付対象としているＩＰ未設定の端末より“ＩＰ設定済みパケット”が送信されてくるまで（ステップＳ０７のＮＯ）、パケットを待ち合わせるパケット受信モードに切り替わる。
【００４５】
“ＩＰ設定用パケット”にてＩＰアドレスの割付対象としているＩＰ未設定の端末より、指定された通りのＩＰアドレスに設定したことを示す“ＩＰ設定済みパケット”が送信されてきた場合（ステップＳ０７のＹＥＳ）、ＩＰアドレス割り当て表の「割り当てフラグ」にＩＰアドレス割り当て済みを示す「済」を設定するとともに、
“ＩＰ設定済みパケット”を受信したことを示す“ＩＰ設定済み受付パケット”を作成し、“ＩＰ設定済みパケット”の送信元の端末に対して送信する（ステップＳ０９）。ここで、“ＩＰ設定済み受付パケット”を“ＩＰ設定用パケット”の送信先であった端末に対しても送信するようにしても良い。この段階にて、ＩＰアドレスの割付対象のＩＰ未設定の端末にＩＰアドレスが設定された状態になったことを監視装置ａ０１で認知することができたので、再び、ステップＳ０２に戻って、次のＩＰアドレス未設定の端末の検索を継続する。
【００４６】
次に、図１０のフローチャートを用いて、監視装置ａ０１より“ＩＰ設定用パケット”を受け取るＩＰアドレス設定済みの端末の動作についてさらに説明する。図１０は、本発明によるＩＰアドレス割付システムのＩＰアドレス設定済みの端末の動作の一例を示すフローチャートである。
【００４７】
ＩＰアドレス設定済みの端末においては、通常、監視装置ａ０１より“ＩＰ設定用パケット”を受信可能な待ち受け状態になっている。監視装置ａ０１より“ＩＰ設定用パケット”が送信されてきた場合、“ＩＰ設定用パケット”を受信して（ステップＳ１１）、“ＩＰ設定用パケット”に含まれている指定ポート番号先に隣接端末が存在するか否かを確認する（ステップＳ１２）。
【００４８】
隣接端末が存在しない場合は（ステップＳ１２のＮＯ）、“ＩＰ設定受付パケット”のフラグを隣接端末が存在しない旨を示すＦＡＩＬに設定して、“ＩＰ設定用パケット”の送信元の監視装置ａ０１に対して送信して(ステップＳ１７)、次のパケットの待ち受け状態に戻る。
【００４９】
一方、指定されたポート番号先に隣接端末が存在する場合は（ステップＳ１２のＹＥＳ）、隣接端末のＭＡＣアドレスを用いて、受信した“ＩＰ設定用パケット”を、当該隣接端末のＩＰアドレスの設定を指示するための“ＩＰ設定用ＭＡＣフレーム”に変換する（ステップＳ１３）。また、“ＩＰ設定受付パケット”のフラグを隣接端末が存在する旨を示すＳＵＣＣＥＳＳに設定して、“ＩＰ設定用パケット”の送信元の監視装置ａ０１に対して送信する（ステップＳ１４）。
【００５０】
しかる後、ＩＰアドレスの設定を指示する“ＩＰ設定用ＭＡＣフレーム”を隣接端末に対して送信する(ステップＳ１５)。“ＩＰ設定用ＭＡＣフレーム”の送信先の隣接端末より、指定された通りのＩＰアドレスに設定したことを通知する“ＩＰ設定済みＭＡＣフレーム”が送付されてくるまで(ステップＳ１６のＮＯ)、あらかじめ定めた一定時間間隔で、“ＩＰ設定用ＭＡＣフレーム”を繰返して送信するが、“ＩＰ設定済みＭＡＣフレーム”が送付されてきた時点で（ステップＳ１６のＹＥＳ）、“ＩＰ設定用ＭＡＣフレーム”の送信を停止し、監視装置ａ０１より“ＩＰ設定用パケット”を受信可能な待ち受け状態に復帰する。
【００５１】
最後に、図１１のフローチャートを用いて、監視装置ａ０１からの“ＩＰ設定用パケット”により、ＩＰアドレスの割付対象とされているＩＰアドレス未設定端末の動作についてさらに説明する。図１１は、本発明によるＩＰアドレス割付システムのＩＰアドレス未設定の端末の動作の一例を示すフローチャートである。
【００５２】
ＩＰアドレス未設定の端末は、初期状態では、監視装置ａ０１より“ＩＰ設定用パケット”を受信する隣接端末から、“ＩＰ設定用ＭＡＣフレーム”の受信を待ち受ける待受けモードになっている。隣接端末より送信されてきた“ＩＰ設定用ＭＡＣフレーム”を受信すると（ステップＳ２１）、“ＩＰ設定用ＭＡＣフレーム”に含まれていて、その宛先として指定されているＭＡＣアドレスと自端末のＭＡＣアドレスとの比較を行う（ステップＳ２２）。
【００５３】
両者が同一のＭＡＣアドレスである場合は（ステップＳ２２のＹＥＳ）、自端末向けのＭＡＣフレームであるので、“ＩＰ設定用ＭＡＣフレーム”中に記述されたネットワーク情報すなわちＩＰアドレス、サブネットマスク、デフォルトゲートウェイに従い、ＩＰアドレスの設定を含むネットワーク設定を行う（ステップＳ２３）。一方、両者が異なるＭＡＣアドレスであれば、他の端末宛のＭＡＣフレームであるので、“ＩＰ設定用ＭＡＣフレーム”を廃棄して、何もせずに、次のＭＡＣフレームの受信を待ち受ける状態に戻る。
【００５４】
受信した“ＩＰ設定用ＭＡＣフレーム”によるネットワーク設定が完了した時点で、当該端末に対するＩＰアドレスの設定を指示する“ＩＰ設定用パケット”の送信元である監視装置ａ０１に対して、指示された通りＩＰアドレスを設定したことを通知する“ＩＰ設定済みパケット”をあらかじめ定めた一定時間ごとに送信する（ステップＳ２４）。また、“ＩＰ設定用ＭＡＣフレーム”の送信元の隣接端末に対しても、“ＩＰ設定済みＭＡＣフレーム”の送信を行う（ステップＳ２５）。
【００５５】
監視装置ａ０１から、“ＩＰ設定済みパケット”を受け取った旨を示す“ＩＰ設定済み受付パケット”を受信した時点で、一定時間ごとの“ＩＰ設定済みパケット”の送信を停止し、ＩＰアドレスが設定済みとなっているので、パケット受信モードに移行する。
【００５６】
ネットワークに接続されているすべての端末ｂ０１，ｂ０２，ｂ０３のＩＰアドレスの設定が終了するまで、以上の図９ないし図１１のフローチャートのような動作を監視装置ａ０１と端末とにより繰り返して実行することにより、ＩＰアドレスの設定が行われる。
【００５７】
なお、以上の説明においては、監視装置ａ０１にてＩＰアドレスの管理対象とする端末数が、端末ｂ０１，ｂ０２，ｂ０３の３台の場合について説明しているが、２台であっても良いし、３台を超えていても良いことは言うまでもない。
【００５８】
以上に説明したように、本発明においては、以下のような効果を奏することができる。まず、ユーザは、監視装置ａ０１上に、ネットワークに接続される端末の配置（接続ポート）を示す位置を配置情報として設定することにより、端末におけるＭＡＣアドレス等を気にすることなく、期待するＩＰアドレスの付与を行うことが可能である。
【００５９】
また、ユーザは、監視装置ａ０１と直接接続された最近傍の端末のＩＰアドレスのみ設定を人手で行うだけで、他の端末については、ＩＰアドレスの付与を、人手で行う必要はなく、自動的に行うことが可能である。
【００６０】
さらに、監視装置ａ０１側にて各端末に割り付けた全てのＩＰアドレスを一元管理することができ、ユーザの人的ミスによるＩＰアドレスの重複を防ぐことが可能である。
【００６１】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。
【図面の簡単な説明】
【００６２】
【図１】本発明によるＩＰアドレス割付システムの構成の一例を示すシステム構成図である。
【図２】本発明によるＩＰアドレス割付システムの監視装置でユーザが作成する各端末の配置図とそれぞれに割り当てるべきＩＰアドレスを説明するための模式図である。
【図３】監視装置から端末に対して送信される“ＩＰ設定用パケット”の一例を示すパケットフォーマットである。
【図４】端末が隣接端末に対してＩＰアドレスの設定を指示する“ＩＰ設定用ＭＡＣフレーム”の一例を示すフレームフォーマットである。
【図５】“ＩＰ設定用パケット”を受信した端末が、監視装置に対して、隣接端末のＩＰアドレスの設定指示処理が可能か否かを返信するための“ＩＰ設定受付パケット”の一例を示すパケットフォーマットである。
【図６】“ＩＰ設定用ＭＡＣフレーム”の送信元の端末に対してＩＰアドレスの設定が完了した旨を通知する“ＩＰ設定済みＭＡＣフレーム”の一例を示すフレームフォーマットである。
【図７】監視装置に対して“ＩＰ設定用パケット”で指示されたＩＰアドレスの設定が完了した旨を通知する“ＩＰ設定済みパケット”の一例を示すパケットフォーマットである。
【図８】“ＩＰ設定済みパケット” の送信元の端末に対して受信した旨を通知する“ＩＰ設定済み受付パケット”の一例を示すパケットフォーマットである。
【図９】本発明によるＩＰアドレス割付システムの監視装置の動作の一例を示すフローチャートである。
【図１０】本発明によるＩＰアドレス割付システムのＩＰアドレス設定済みの端末の動作の一例を示すフローチャートである。
【図１１】本発明によるＩＰアドレス割付システムのＩＰアドレス未設定の端末の動作の一例を示すフローチャートである。
【符号の説明】
【００６３】
ａ０１                  監視装置
ｂ０１,ｂ０２,ｂ０３    端末
【図１】
2007235826.tif 000003
【図２】
2007235826.tif 000004
【図３】
2007235826.tif 000005
【図４】
2007235826.tif 000006
【図５】
2007235826.tif 000007
【図６】
2007235826.tif 000008
【図７】
2007235826.tif 000009
【図８】
2007235826.tif 000010
【図９】
2007235826.tif 000011
【図１０】
2007235826.tif 000012
【図１１】
2007235826.tif 000013